(57)【要約】【課題】電気接続箱にかかった水が、係止部に当たって跳ね返ることを防止した高防水性の電気接続箱を提供する。【解決手段】係止部２０を、ロアカバー１５の壁部１７に対向して設け、係止部２０と壁部１７との間に、排水用の連通した溝３５を形成する。溝３５を、両側の側壁３５ａ、３５ｂ及び底壁３５ｃとで区画形成し、一方の側壁３５ａをロアカバー１５の壁部１７に連ね、他方の側壁３５ｂを係止部２０に連ね、底壁３５ｃをカバー１５外周のリブ２８に連ねる。係止部２０を、ロアカバー１５の開口端部１６から嵌合方向に向けて突出する舌片状の係止片とし、溝３５を係止片に対する撓み空間とする。ロアカバー１５の開口端部１６外縁に、ボックス本体５０の当接端部６３内縁を、二重壁状態で重なり合わせ、溝３５に進入させる。【選択図】　　　図２
2004064872.tif 000002
【特許請求の範囲】
【請求項１】
壁部に係止部を有するロアカバーと、該係止部に係合する係合部を有するボックス本体とを備えた電気接続箱において、
前記係止部は、前記ロアカバーの壁部に対向して設けられ、該係止部と該壁部との間に、排水用の連通した溝が形成されたことを特徴とする電気接続箱。
【請求項２】
前記溝は、両側の側壁及び底壁とで区画形成され、一方の側壁が前記ロアカバーの壁部に連なり、他方の側壁が前記係止部に連なり、該底壁が該ロアカバー外周のリブに連なっていることを特徴とする請求項１記載の電気接続箱。
【請求項３】
前記係止部は、前記ロアカバーの開口端部から嵌合方向に向けて突出する舌片状の係止片であり、前記溝が該係止片に対する撓み空間になることを特徴とする請求項１又は請求項２記載の電気接続箱。
【請求項４】
前記ロアカバーの開口端部外縁に、前記ボックス本体の当接端部内縁が、二重壁状態で重なり合って嵌合し、前記溝に進入することを特徴とする請求項１〜３のいずれか一つに記載の電気接続箱。
【発明の詳細な説明】
【０００１】
【発明の属する技術分野】
本発明は、リレー、ヒューズ等が装着されたジャンクションブロックを有し、ボックス本体とロアカバーとを備えて構成される電気接続箱に関するものである。
【０００２】
【従来の技術】
車両等に搭載される電子周辺機器間の電源供給や信号授受を行う電線数や組付部品数は、膨大なものとなっている。これらの電子周辺機器が搭載される車両には、四輪自動車、二輪車、トラクター、クレーン車等が挙げられる。これらの車両における配線手段としては、ワイヤハーネスや、ワイヤハーネスを構成する各電線の端部に接続される端子を一括して収容するコネクタや、複数のコネクタ等が装着された電気接続箱等が一般的に利用されている。
【０００３】
電気接続箱は、自動車のエンジンルームやインストルメントパネル廻りに配置され、計器類、スイッチ類、ランプ類その他の電子周辺機器に対する電源の供給や、信号の授受を行う中継用の組付自動車部品である。また、電気接続箱は、単に配線を分岐するだけでなく、リレー回路やヒューズ回路を構成したり、各種装置の制御を行うＥＣＵ（Ｅｌｅｃｔｒｏｎｉｃ　Ｃｏｎｔｒｏｌ　Ｕｎｉｔ）回路を構成したりする。
【０００４】
ところで、エンジンルームに搭載される電気接続箱は、雨天走行時に水がかかったり、洗車時に高圧の洗浄水やスチームがかかったりすることがある。そこで、水やスチーム等の浸入を防止した電気接続箱が広く提供されている。
【０００５】
このような電気接続箱の一例を図６に示す。電気接続箱７０は、上部に開口を有するロアカバー７５と、下部に開口を有するアッパーカバー７３と、ロアカバー７５とアッパーカバー７３との間に配置されるボックス本体８７とを備えている。ボックス本体８７には、図示しないリレー、ヒューズ、コネクタ等が装着されたジャンクションブロックが取り付けられている。
【０００６】
ボックス本体８７とロアカバー７５との取り付けは、ロアカバー７５に設けられた差込係止片７８とボックス本体８７に設けられた図示しない係合部とを係合させることによって行われている。図６及び図７には、電気接続箱７０の係止部となる差込係止片７８が示されている。
【０００７】
図６に示すように、差込係止片７８は、ロアカバー７５の側壁７６と一体に形成されている。差込係止片７８は、一対の付け根部７９と、差込部８０とを備えて構成されている。差込部８０は、付け根部７９に続く自由端部であり、その先端側は、ロアカバー７５の開口端部７７より上側に突出している。差込部８０の根本側は、開口端部７７と同一面に形成されており、そのため側壁７６外周に形成されたリブ８５は不連続になっている。
【０００８】
ボックス本体８７にロアカバー７５を取り付けた際には、差込係止片７８の差込部８０がボックス本体８７の係止枠（図示せず）に進入して、差込部７９の外面８２に形成された係止段部８３が係止枠内の図示しない係止突起と係合するようになっている。ボックス本体８７の当接端部８９には、切り欠いて形成した逃げ部９０が設けられており、この逃げ部９０に差込部８０の根本側が係合して、ボックス本体８７とロアカバー７５とが嵌合するようになっている。
【０００９】
【発明が解決しようとする課題】
しかしながら、上記従来の電気接続箱では、解決すべき以下の問題点がある。
【００１０】
一つには、ロアカバー７５外周のリブ８５とボックス本体８７の当接端部８９との間の隙間８１から、高圧の洗浄水やスチーム等が図６に示す排水経路Ｃのように浸入し、差込部８０の根本側に当たり跳ね返され、ボックス本体８７とロアカバー７５との境目に勢い良く当たり、その境目から電気接続箱７０に水やスチームが浸入する心配がある。
【００１１】
また一つには、ボックス本体８７とロアカバー７５を備える電気接続箱７０は、合成樹脂製の射出成形体であるゆえ、成形後に反りや変形等を起こし、ボックス本体８７の当接端部８９と、ロアカバー７５の開口端部７７との間のシール性が損なわれて、隙間から水などが浸入するという心配がある。
【００１２】
当接端部８９と開口端部７７とを一様に隙間を生じないように緊密に密着させるためには、ロック部の数を増やすなどしなければならず、製造コストが高くなってしまう。止水性のよいシール材に材質変更することも考えられるが、この場合も製造コストが高くなってしまう。
【００１３】
本発明は、上記した点に鑑み、電気接続箱にかかった水が、係止部に当たって跳ね返ることを防止した高防水性の電気接続箱を提供することを目的とする。
【００１４】
【課題を解決するための手段】
上記目的を達成するために、請求項１記載の発明は、壁部に係止部を有するロアカバーと、該係止部に係合する係合部を有するボックス本体とを備えた電気接続箱において、前記係止部は、前記ロアカバーの壁部に対向して設けられ、該係止部と該壁部との間に、排水用の連通した溝が形成されたことを特徴とする。
【００１５】
上記構成によれば、排水用の溝が、係止部とロアカバーの壁部との間に形成されているから、電気接続箱に水がかかり、隙間から浸入した水は、係止部に当たって跳ね返されることなく、排水用の溝を通って電気接続箱の外部に排出される。従って、電気接続箱の隙間から浸入した水は、係止部に当たって跳ね返り、電気接続箱の内部に浸入することが防止される。また、水が係止部に当たって跳ね返されたとしても、跳ね返された水は溝に落下して排出されるゆえ、電気接続箱の内部に水が浸入することが防止される。
【００１６】
また、請求項２記載の発明によれば、請求項１記載の電気接続箱において、前記溝は、両側の側壁及び底壁とで区画形成され、一方の側壁が前記ロアカバーの壁部に連なり、他方の側壁が前記係止部に連なり、該底壁が該ロアカバー外周のリブに連なっていることを特徴とする。
【００１７】
上記構成によれば、溝を区画形成する両側の各側壁が、ロアカバーの壁部と係止部とにそれぞれ連なり、底壁がリブに連なっているから、電気接続箱にかかった水は、その排出が妨げられることなく、一方の開口から溝に入り、溝内を通り他方の開口から円滑に排出される。
【００１８】
また、請求項３記載の発明は、請求項１記載の電気接触箱において、前記係止部は、前記ロアカバーの開口端部から嵌合方向に向けて突出する舌片状の係止片であり、前記溝が該係止片に対する撓み空間になることを特徴とする。
【００１９】
上記構成によれば、排水用の溝が係止片の撓み空間になるから、ボックス本体とロアカバーとの嵌合操作が容易に行われ、また、係止片を内向きに撓ませることで、嵌合解除操作が容易に行われる。
【００２０】
また、請求項４記載の発明は、請求項１〜３のいずれか一つに記載の電気接続箱において、前記ロアカバーの開口端部外縁に、前記ボックス本体の当接端部内縁が、二重壁状態で重なり合って嵌合し、前記溝に進入することを特徴とする。
【００２１】
上記構成によれば、ロアカバーとボックス本体とが二重壁状態で重なり合うから、重なり合う部分がボックス本体の壁部で覆われて、電気接続箱にかかった水が、直接に電気接続箱内に浸入することが防止される。また、溝にボックス本体の当接端部が進入するから、従来技術の欄で示した電気接続箱のように、当接端部に切り欠いた逃げ部を設ける必要がなく、ロアカバーとボックス本体との密閉性が向上する。
【００２２】
【発明の実施の形態】
以下に本発明の実施の形態の具体例を図面を用いて詳細に説明する。
図１は、本発明に係る電気接続箱の一実施形態を示すものである。
【００２３】
図示するように、電気接続箱１０は、従来技術の欄で説明した電気接続箱７０と同様にして、上部に開口を有するロアカバー１５と、下部に開口を有するアッパーカバー１３と、ロアカバー１５とアッパーカバー１３との間に配置されるボックス本体５０とを備えており、ボックス本体５０には、リレー７０、ヒューズ（図示せず）、コネクタ（図示せず）等が装着されたジャンクションブロック６２が取り付けられている。ロアカバー１５、アッパーカバー１３及びボックス本体５０は、合成樹脂材料を構成材料とし、射出成形法等により高精度に成形されている。
【００２４】
ボックス本体５０とロアカバー１５とは、二重壁状態で重なり合う。すなわち、ロアカバー１５の開口端部１６外縁に、ボックス本体５０の当接端部６３内縁が重なり合う。このように嵌合させれば、シール材を挟まなくても、二重壁が防水壁として機能し、電気接続箱１０に水が浸入するのを防止することができる。
【００２５】
ボックス本体５０とロアカバー１５とは後述するロック手段により、嵌合するようになっている。ロアカバー１５には、ロック手段の一方をなす差込係止片（係止部）２０が設けられている。ボックス本体５０には、ロック手段の他方をなす係止枠（係合部）６０が設けられている。係止枠６０の内側には、係止突起６１が内向きに設けられており、係止突起６１が差込係止片２０に形成された係止段部２６（図２）に係合することにより、ボックス本体５０にロアカバー１５が係止されるようになっている。
【００２６】
ボックス本体５０とアッパーカバー１３も、二重壁状態で重なり合う。すなわち、ボックス本体５０の当接端部６６外縁に、アッパーカバー１３の開口端部１４内縁が重なり合う。ボックス本体とアッパーカバー１３は、図示しないロック手段により嵌合して、電気接続箱１０の内部への水の侵入が防止される。
【００２７】
ジャンクションブロック６２は、電子周辺機器間の信号授受や電源供給等の機能を果たす電気接続箱１０の主要部をなす構成部品である。ジャンクションブロック６２には、絶縁基板６２ａ（図２）にバスバー６２ｂ（図２）が重ねられて（積層した状態で重ねられて）信号用の分岐回路を構成したり、バスバー６２ｂにリレー７０やヒューズ等の機能部品等が接続されてリレー回路やヒューズ回路を構成したりする。リレー回路を構成するものをいわゆるリレーブロック、ヒューズ回路を構成するものをいわゆるヒューズブロックと呼ぶこともある。機能部品には、リレー７０やヒューズの他に、ヒュージブルリンク（図示せず）、サーキットブレーカ（図示せず）、コネクタ（図示せず）等が挙げられる。
【００２８】
図１に示すロアカバー１５は、上部に開口を有する箱形に形成されている。内部には、ジャンクションブロック６２に接続された電線が収容されるようになっている。収容された電線は、外壁（壁部）１７に形成された図示しない電線引出口から引き出されて、周辺機器に接続されるようになっている。
【００２９】
外壁１７は、底壁１８と、底壁１８の周囲を囲う側壁１９とから形成されている。底壁１８には、２箇所の位置に車体パネル（図示しない）に対する第１、第２の取付用ブラケット４０，４２がそれぞれ形成されている。電気接続箱１０は、導電性金属板が打ち抜き形成されたバスバーが収納されて重くなるため、１箇所の取り付けでは不安定になる心配があるからである。また、底壁１８には、ロアカバー１５に水が入った場合を考慮して、念のために、水抜き孔を形成してもよい（図示せず）。
【００３０】
取付用ブラケット４０，４２は、ロアカバー１５の外壁１７に続く脚部４０ａ，４２ａと、脚部４０ａ，４２ａの先端側に位置する略円形の取付部４０ｂ，４２ｂとからなっている。取付部４０ｂ，４２ｂの略中央部には、ボルト挿通用の取付孔４０ｃ（第１の取付用ブラケットのみ図示）が形成されている。取付孔４０ｃは、いわゆるばか孔に形成されている。ばか孔に形成したのは、取付用ブラケット４０，４２の孔位置と車体パネルの孔位置とがずれた場合でも、位置ずれを吸収することができるようにするためである。
【００３１】
ロアカバー１５の上部開口側の側壁１９には、開口端部１６より嵌合方向に突出する係止爪片３０が複数設けられている。係止爪片３０は、差込係止片２０が形成された側壁１９を除く他の側壁１９に形成されている。係止爪片３０の数は任意であるが、ボックス本体５０とロアカバー１５とが外れることがないように、適切な数の係止爪片３０が形成されている。このような係止爪片３０は、側壁１９の外面に一体的に形成されている。
【００３２】
係止爪片３０はその板厚方向に撓み可能になっており、先端部には、相手方の係止孔６４と係合する凸部３０ａが形成されている。係止爪片３０の外面には、ボックス本体５０とロアカバー１５との嵌合する方向（上下方向Ｘ）に真直に延びる突条部３０ｂが形成されている。ボックス本体５０の係止孔６４には、突条部３０ｂがスライドしながら案内されるガイド部６５が形成されている。従って、ロアカバー１５とボックス本体５０とを嵌合する際は、係止爪片３０の突条部３０ｂが係止孔６４のガイド部６５に案内されながら、ロアカバー１５の開口端部１６とボックス本体５０の当接端部６３の位置合わせが正確に行われるようになっている。
【００３３】
ロアカバー１５の長手方向一側の側壁１９には、差込係止片２０が形成されている。差込係止片２０は、平板状に形成され、側壁１９に対して平行に配置されている。差込係止片２０と側壁１９との間に、排水溝（溝）３５が形成されている。この点が、本発明の電気接続箱１０と従来技術の欄で説明した電気接続箱７０との相違する点である。
【００３４】
図２に示すように、差込係止片２０は、側壁１９に繋がる根本側の一対の付け根部２３と、付け根部２３に続く板状の差込部２４とからなっている。差込部２４は、ロアカバー１５の開口端部１６より上方に突出する自由端部であり、開口端部１６からの突出高さは、前記係止爪片３０（図１）の突出高さに略等しく形成されている。また、差込部２４の板厚は、ロアカバー１５の側壁１９の板厚と同等の板厚に形成されている。このため、差込係止片２０の変形や破損等が防止され、ボックス本体５０とロアカバー１５との着脱を繰り返し行っても係止を確実に行うことができるようになっている。
【００３５】
図３に示すように、差込部２４は、先端部２５と、係止段部２６とを備えている。先端部２５には、傾斜部２５ａ（図４）と湾曲部２５ｂとが形成されている。このため、差込係止片２０は前後左右に先細状をなしており、引っかかりなくボックス本体５０の係止枠６０（図１）にスムーズに案内されるようになっている。
【００３６】
係止段部２６は、差込係止片２０の外面２１に凹設された凹所２７の縁部である。この係止段部２６は、差込部２４の先端寄りに位置している。差込部２４が進入する係止枠６０の内面には、係止段部２６と係合する係止突起６１（図１）が内向きに突設されている。
【００３７】
図５に示すように、差込係止片２０は、側壁１９と対向して形成されており、差込係止片２０と側壁１９との間には、排水溝３５が形成されている。この排水溝３５は、両側の溝側壁（側壁）３５ａ，３５ｂと溝底壁（底壁）３５ｃとから断面視Ｕ字状に区画形成されており、上側及び左右両側が開口形成されている。一側の溝側壁３５ａはロアカバー１５の側壁１９と同一面で連なって形成され、他側の溝側壁３５ｂは差込係止片２０の内面２２と同一面で連なって形成され、溝底壁３５ｃはロアカバー１５外周のリブ２８と同一面に連なって形成されている。すなわち、ロアカバー１５の側壁１９及びリブ２８は、差込係止片２０によって不連続になることなく、左右方向Ｙ（図２）に連続して延びている。
【００３８】
ここで、本実施形態の説明の都合上、上下方向Ｘ、左右方向Ｙ、前後方向Ｚについて定めることとする。上下方向Ｘとはボックス本体５０とロアカバー１５とが嵌合する方向と定めることとし、左右方向Ｙとは排水溝３５の連通する方向と定めることとし、前後方向Ｚとは差込係止片２０の板厚方向又は差込係止片２０の撓み方向と定めることとする。
【００３９】
差込係止片２０と側壁１９との間には、排水溝３５が形成されているから、ボックス本体５０とロアカバー１５の隙間４５から浸入した水やスチームは、排水溝３５を通って外部へ排出されるゆえ、差込係止片２０の内面２２に当たり跳ね返されることが防止されて、電気接続箱１０に水等が浸入することが防止される。
【００４０】
図２に示すように、ボックス本体５０は、電気接続箱１０の内部空間を上下に仕切る仕切壁５８と、仕切壁５８の周囲を囲繞する側壁５９とから構成されている。長手方向（前後方向Ｚ）の一側側壁５９には、車体パネルに対する第３の取付用ブラケット６７が形成されている。従って、ボックス本体５０とロアカバー１５との係止が外れた場合であっても、ボックス本体５０が車体パネルから落下しないようになっている。
【００４１】
ボックス本体５０には、ロアカバー１５の開口端部１６に対する当接端部６３と、アッパーカバー１３の開口端部１４に対する当接端部６６がそれぞれ設けられている。当接端部６３には、ロアカバー１５の開口端部１６と重なり合う、Ｌ字状の切欠部６３ａ（図２）が形成されている。当接端部６６には、アッパーカバー１３の開口端部１４と重なり合う、Ｌ字状の切欠部６６ａが形成されている。
【００４２】
ボックス本体５０には、機能部品であるリレー７０が装着されたジャンクションブロック６２が取り付けられている。ボックス本体５０とジャンクションブロック６２の取り付けは、種々の方法で行うことができ、本実施の形態では、ボックス本体５０にジャンクションブロック６２が重ねられ、そして図示しない締付ねじを利用して取り付けられている。リレー７０はジャンクションブロック６２の上側には装着され、ジャンクションブロック６２の下側には図示しない電線が引き出されるようになっている。なお、ジャンクションブロック６２には、リレー７０以外に図示しないヒューズやコネクタ等も装着することができるようになっている。
【００４３】
図１に示すように、ボックス本体５０の側壁５９には、ロアカバー１５の係止爪片３０に対応する位置に枠状の係止孔６４が複数形成されている。係止孔６４の内部には、ガイド部６５が形成されており、係止爪片３０の突条部３０ｂを嵌合方向にスライド案内して、ロアカバー１５とボックス本体５０との位置決めを行うことができるようになっている。
【００４４】
長手方向（前後方向Ｚ）の他側側壁５９には、差込係止片２０に対する係止枠６０が形成されている。係止枠６０の上部と下部は開口しているゆえ、係止枠６０は貫通した枠になっている。係止枠６０の内側には、差込係止片２０の係止段部２６に対する係止突起６１が内向きに突出して形成されている。係止突起６１は、差込係止片２０の挿入側に位置する傾斜面（図示せず）と、傾斜面に続き係止枠６０の内面に垂直に形成された係止面（図示せず）とを有する略三角形状に形成されている。
【００４５】
以下に、上記構成の作用について説明する。
先ず、銅または銅合金などの導電性基板を打ち抜いて形成されたバスバー６２ｂの端部や中間部から起立連成されたタブ端子（図示せず）に、リレー７０、ヒューズ等の機能部品を接続する。そして、機能部品の接続されたジャンクションブロック６２をボックス本体５０に取り付ける。ジャンクションブロック６２に電線が接続している場合には、電線（図示せず）をロアカバー１５の電線引出口（図示せず）へ引き出し、ロアカバー１５内において電線が絡まないようにする。
【００４６】
次に、ボックス本体５０にロアカバー１５を嵌合する。ロアカバー１５の係止爪片３０とボックス本体５０の係止孔６４、ロアカバー１５の差込係止片２０とボックス本体５０の係止枠６０の位置合わせを行い、ボックス本体５０とロアカバー１５とを突き合わせるようにして嵌合する。そうすると、ロアカバー１５の差込係止片２０は、ボックス本体５０の係止枠６０内に設けられた係止突起６１に乗り上げて、差込係止片２０の係止段部２６が係止突起６１を乗り越えた位置で弾性復帰し、係止段部２６が係止突起６１の係止面に係止される。係止爪片３０と係止孔６４についても同様である。このようにして、ボックス本体５０とロアカバーとは二重壁状態で重なり合う。
【００４７】
続いて、ボックス本体５０の上部にアッパーカバー１３を被せる。アッパーカバー１３の開口端部１４には、切欠部１４ａが形成されているため、この切欠部１４ａがボックス本体５０の当接端部６６の切欠部６６ａに重なり合い、ボックス本体５０とアッパーカバー１３とが緊密に嵌合する。
【００４８】
電気接続箱１０を車体パネルに固定するには、電気接続箱１０の第１、第２、第３の取付用ブラケット４０，４２，６７の取付孔４０ｃ（第１の取付用ブラケット４０の取付孔４０ｃしか図示せず）を車体パネルの孔部に合わせて、図示しないボルト（図示せず）を双方の孔部に螺合させることにより行う。
【００４９】
このような電気接続箱１０がエンジンルーム内に配置されて、洗車時などに高圧の洗浄水やスチームがかかった場合は、図２の排水経路Ｄに示すように、ボックス本体５０とロアカバー１５の境目の隙間４５から浸入した水等が、差込係止片２０の内面２２に当たって跳ね返されるものもあるが、その多くは差込係止片２０に当たることなく排水溝３５を通って、一方の開口から他方の開口に向かって流れ出る。従って、電気接続箱１０にかかった水等が、差込部２４の根本側に当たって跳ね返されることが防止され、電気接続箱１０の防水性が向上する。
【００５０】
リレー７０等のメンテナンスなどを行うために、ロアカバー１５及びアッパーカバー１３をボックス本体５０から取り外す際には、嵌合操作と逆の操作を行えばよい。ロアーカバー１５を取り外す際は、差込係止片２０を内向きに倒し、差込係止片２０の係止段部２６と係止枠６０の係止突起６１との係止を解除し、同様にして係止爪片３０と係止孔６４の係止を解除して、ロアカバー１５とボックス本体５０とを嵌合反対方向に引き離すことにより取り外しを行う。
【００５１】
【発明の効果】
以上の如く、請求項１記載の発明によれば、電気接続箱の隙間から浸入した水やスチームが、溝の一方の開口から溝内に入り、溝に案内されながら、他方の開口から排出される。従って、電気接続箱にかかった水等が、係止部に当たって跳ね返ることを防止でき、電気接続箱の防水性を向上することができる。
【００５２】
また、請求項２記載の発明によれば、電気接続箱にかかった水等が、その排出を障害物などにより妨げられることなく、一方の開口から他方の開口に向かって円滑に排出される。従って、請求項１記載の発明の効果がより一層向上して、電気接続箱の防水性が向上する。
【００５３】
また、請求項３記載の発明によれば、排水用の溝が係止片の撓み空間となるから、係止片が内向きに撓み可能となり、ボックス本体とロアカバーの嵌合操作又嵌合解除操作を容易に行うことができる。従って、電気接続箱の組付作業性が向上する。
【００５４】
また、請求項４記載の発明によれば、ボックス本体とロアカバーとが二重壁状態で重なり合うから、ボックス本体とロアカバーの双方の開口が塞がれて、電気接続箱にかかった水等が、電気接続箱内に浸入することが防止される。従って、電気接続箱に対する水の浸入が二重に防止され、電気的接続の信頼性が維持される。
【図面の簡単な説明】
【図１】本発明の電気接続箱に係る一実施形態を示す正面図である。
【図２】図１に示すロアカバーに形成された差込係止片を示す斜視図である。
【図３】図２に示す差込係止片の正面図である。
【図４】同じく差込片係止の平面図である。
【図５】同じく差込係止片のＡ−Ａ線に沿って切断した平面の断面図である。
【図６】従来の電気接続箱の一例を示し、その差込係止片の一部断面斜視図である。
【図７】図６に示す差込係止片のＢ−Ｂ線に沿って切断した平面の断面図である。
【符号の説明】
１０　　　　　　　　電気接続箱
１３　　　　　　　　アッパーカバー
１５　　　　　　　　ロアカバー
１４，１６　　　　　開口端部
１７　　　　　　　　外壁（壁部）
２０　　　　　　　　差込係止片（係止部）
２４　　　　　　　　差込部
２５　　　　　　　　先端部
２６　　　　　　　　係止段部
２８　　　　　　　　リブ
３５　　　　　　　　排水溝（溝）
３５ａ、３５ｂ　　　溝側壁（側壁）
３５ｃ　　　　　　　溝底壁（底壁）
４５　　　　　　　　隙間
５０　　　　　　　　ボックス本体
６０　　　　　　　　係止枠（係合部）
６１　　　　　　　　係止突起
６２　　　　　　　　ジャンクションブロック
６４　　　　　　　　係止孔
【図１】
2004064872.tif 000003
【図２】
2004064872.tif 000004
【図３】
2004064872.tif 000005
【図４】
2004064872.tif 000006
【図５】
2004064872.tif 000007
【図６】
2004064872.tif 000008
【図７】
2004064872.tif 000009